(57)【特許請求の範囲】
【請求項１】
キャップを備えたペットボトル等の容器内に、容器の口部から挿入して取り付けられる駆動装置であって、
容器の口部から挿入できる大きさに形成されたケースと、電気回路部とからなり、
電気回路部は、駆動部と、電源部と、自動復帰型スイッチ部を有し、
ケースには、容器の口部の上端に係止され、且つ口部に螺着されるキャップと口部の上端によって挟持される係止縁が形成され、
前記自動復帰型スイッチ部は、係止縁から突出する操作突起を有し、容器の口部に螺着されるキャップの閉める方向の回転による移動により操作突起が押圧されて駆動部が駆動し、キャップの開く方向の回転による移動により操作突起の押圧が解除されて駆動部の駆動が停止する構成であることを特徴とする駆動装置。
【請求項２】
可撓性キャップを備えたペットボトル等の容器内に、容器の口部から挿入して取り付けられる駆動装置であって、
容器の口部から挿入できる大きさに形成されたケースと、電気回路部とからなり、
電気回路部は、駆動部と、電源部と、位置保持型スイッチ部を有し、
ケースには、容器の口部の上端に係止され、且つ口部に螺着される可撓性キャップと口部の上端によって挟持される係止縁が形成され、
前記位置保持型スイッチ部は、係止縁から突出する操作突起を有し、容器の口部に螺着される可撓性キャップの第１の押圧による変形により操作突起が押されてオンとなって駆動部が駆動し、可撓性キャップの第２の押圧による変形により操作突起が押されてオフとなって駆動部の駆動が停止する構成であることを特徴とする駆動装置。
【請求項３】
前記駆動部は、電気発光体であることを特徴とする請求項１又は２記載の駆動装置。
【請求項４】
前記駆動部は、電気モータであることを特徴とする請求項１又は２記載の駆動装置。
【請求項５】
キャップを備えたペットボトル等の容器内に、容器の口部から挿入して取り付けられる発光装置であって、
容器の口部から挿入できる大きさに形成されたケースと、電気回路部とからなり、
電気回路部は、ケース内部に設けられた電源部と、ケースの一側に配置された自動復帰型スイッチ部と、ケースの他側に設けられた電気発光体を有し、
ケースには、容器の口部の上端に係止され、且つ口部に螺着されるキャップと口部の上端によって挟持される係止縁が形成され、
前記自動復帰型スイッチ部は、係止縁から突出する操作突起を有し、容器の口部に螺着されるキャップの閉める方向の回転による移動により操作突起が押圧されて電気発光体が点灯し、キャップの開く方向の回転による移動により操作突起の押圧が解除されて電気発光体が消灯する構成であることを特徴とする発光装置。
【請求項６】
可撓性キャップを備えたペットボトル等の容器内に、容器の口部から挿入して取り付けられる発光装置であって、
容器の口部から挿入できる大きさに形成されたケースと、電気回路部とからなり、
電気回路部は、ケース内部に設けられた電源部と、ケースの一側に配置された位置保持型スイッチ部と、ケースの他側に設けられた電気発光体を有し、
ケースには、容器の口部の上端に係止され、且つ口部に螺着される可撓性キャップと口部の上端によって挟持される係止縁が形成され、
前記位置保持型スイッチ部は、係止縁から突出する操作突起を有し、容器の口部に螺着される可撓性キャップの第１の押圧による変形により操作突起が押されてオンとなって電気発光体が点灯し、可撓性キャップの第２の押圧による変形により操作突起が押されてオフとなって電気発光体が消灯する構成であることを特徴とする発光装置。
【請求項７】
キャップを備えたペットボトル等の容器内に、容器の口部から挿入して取り付けられる動力装置であって、
容器の口部から挿入できる大きさに形成されたケースと、電気回路部とからなり、
電気回路部は、ケース内部に設けられた電源部と、ケースの一側に配置された自動復帰型スイッチ部と、ケースの他側に設けられた電気モータを有し、
ケースには、容器の口部の上端に係止され、且つ口部に螺着されるキャップと口部の上端によって挟持される係止縁が形成され、
前記自動復帰型スイッチ部は、係止縁から突出する操作突起を有し、容器の口部に螺着されるキャップの閉める方向の回転による移動により操作突起が押圧されて電気モータが回転し、キャップの開く方向の回転による移動により操作突起の押圧が解除されて電気モータが停止する構成であることを特徴とする動力装置。
【請求項８】
可撓性キャップを備えたペットボトル等の容器内に、容器の口部から挿入して取り付けられる動力装置であって、
容器の口部から挿入できる大きさに形成されたケースと、電気回路部とからなり、
電気回路部は、ケース内部に設けられた電源部と、ケースの一側に配置された位置保持型スイッチ部と、ケースの他側に設けられた電気モータを有し、
ケースには、容器の口部の上端に係止され、且つ口部に螺着される可撓性キャップと口部の上端によって挟持される係止縁が形成され、
前記位置保持型スイッチ部は、係止縁から突出する操作突起を有し、容器の口部に螺着される可撓性キャップの第１の押圧による変形により操作突起が押されてオンとなって電気モータが回転し、可撓性キャップの第２の押圧による変形により操作突起が押されてオフとなって電気モータが停止する構成であることを特徴とする動力装置。
【発明の詳細な説明】
【技術分野】
【０００１】
本発明は、キャップを備えたペットボトル等の容器の口部に着脱可能に取り付けられる駆動装置であって、口部に螺着されるキャップによってオン・オフされるスイッチ部を備えた駆動装置、発光装置及び動力装置に関する。
【背景技術】
【０００２】
従来、ペットボトル等の容器を利用した駆動装置として、モータ装着ケースが存在する。モータ装着ケースは、容器を改良することなく、誰でも簡単且つ短時間で容器の口部にモータを組み込ませることができ、当該モータを利用して容器を飛行玩具又は走行玩具として飛行又は走行させることができる（特許文献１）。
【先行技術文献】
【特許文献】
【０００３】
【特許文献１】特許第５０３５７８３号公報
【発明の概要】
【発明が解決しようとする課題】
【０００４】
上記した特許文献１には、モータ装着ケースのモータの駆動を制御するスイッチについて記載していない。スイッチには、ペットボトル等の容器の口部内にモータ装着ケースを取り付けた場合でも、容器を加工する必要がないリードスイッチ等の種々のものがあるからである。しかし、機械的なスイッチを設けたモータ装着ケースを容器の口部内に取り付けた場合、容器を加工して開口を形成しなければ、機械的なスイッチを操作することができない。このように、使用済みのペットボトル等の容器内に駆動装置を取り付け、この駆動装置を駆動させる場合、容器に開口を形成する作業を行わなければならず、その開口形成作業が面倒であるという問題点があった。特に、その作業を外で行う場合は、工具等の準備をしておくことが必要があり、不便であるという問題点があった。また、容器を加工して開口を形成することは、容器の密閉性を失うことであり、水、雨、雪の中で使用すると容器内に水が入って駆動装置が壊れてしまう恐れがあるという問題点があった。
【０００５】
本願発明は、上記問題点に鑑み案出したものであって、ペットボトル等の容器の口部に螺着されるキャップを利用してスイッチをオン・オフし、駆動部の駆動の制御を行うことをできるようにした駆動装置を提供することを第１の目的とする。また、ペットボトル等の容器の口部に螺着されるキャップを利用してスイッチをオン・オフし、電気発光部の点灯の制御を行うことをできるようにした発光装置を提供することを第２の目的とする。また、ペットボトル等の容器の口部に螺着されるキャップを利用してスイッチをオン・オフし、電気モータの回転の制御を行うことをできるようにした動力装置を提供することを第３の目的とする。
【課題を解決するための手段】
【０００６】
本願請求項１記載の駆動装置は、上記第１の目的を達成するため、キャップを備えたペットボトル等の容器内に、容器の口部から挿入して取り付けられる駆動装置であって、容器の口部から挿入できる大きさに形成されたケースと、電気回路部とからなり、電気回路部は、駆動部と、電源部と、自動復帰型スイッチ部を有し、ケースには、容器の口部の上端に係止され、且つ口部に螺着されるキャップと口部の上端によって挟持される係止縁が形成され、前記自動復帰型スイッチ部は、係止縁から突出する操作突起を有し、容器の口部に螺着されるキャップの閉める方向の回転による移動により操作突起が押圧されて駆動部が駆動し、キャップの開く方向の回転による移動により操作突起の押圧が解除されて駆動部の駆動が停止する構成であることを特徴とする。
【０００７】
本願請求項２記載の駆動装置は、上記第１の目的を達成するため、可撓性キャップを備えたペットボトル等の容器内に、容器の口部から挿入して取り付けられる駆動装置であって、容器の口部から挿入できる大きさに形成されたケースと、電気回路部とからなり、電気回路部は、駆動部と、電源部と、位置保持型スイッチ部を有し、ケースには、容器の口部の上端に係止され、且つ口部に螺着される可撓性キャップと口部の上端によって挟持される係止縁が形成され、前記位置保持型スイッチ部は、係止縁から突出する操作突起を有し、容器の口部に螺着される可撓性キャップの第１の押圧による変形により操作突起が押されてオンとなって駆動部が駆動し、可撓性キャップの第２の押圧による変形により操作突起が押されてオフとなって駆動部の駆動が停止する構成であることを特徴とする。
【０００８】
本願請求項３記載の駆動装置は、上記第２の目的を達成するため、前記駆動部は、電気発光体であることを特徴とする。
【０００９】
本願請求項４記載の駆動装置は、上記第３の目的を達成するため、前記駆動部は、電気モータであることを特徴とする。
【００１０】
本願請求項５記載の発光装置は、上記第２の目的を達成するため、キャップを備えたペットボトル等の容器内に、容器の口部から挿入して取り付けられる発光装置であって、容器の口部から挿入できる大きさに形成されたケースと、電気回路部とからなり、電気回路部は、ケース内部に設けられた電源部と、ケースの一側に配置された自動復帰型スイッチ部と、ケースの他側に設けられた電気発光体を有し、ケースには、容器の口部の上端に係止され、且つ口部に螺着されるキャップと口部の上端によって挟持される係止縁が形成され、前記自動復帰型スイッチ部は、係止縁から突出する操作突起を有し、容器の口部に螺着されるキャップの閉める方向の回転による移動により操作突起が押圧されて電気発光体が点灯し、キャップの開く方向の回転による移動により操作突起の押圧が解除されて電気発光体が消灯する構成であることを特徴とする。
【００１１】
本願請求項６記載の発光装置は、上記第２の目的を達成するため、可撓性キャップを備えたペットボトル等の容器内に、容器の口部から挿入して取り付けられる発光装置であって、容器の口部から挿入できる大きさに形成されたケースと、電気回路部とからなり、電気回路部は、ケース内部に設けられた電源部と、ケースの一側に配置された位置保持型スイッチ部と、ケースの他側に設けられた電気発光体を有し、ケースには、容器の口部の上端に係止され、且つ口部に螺着される可撓性キャップと口部の上端によって挟持される係止縁が形成され、前記位置保持型スイッチ部は、係止縁から突出する操作突起を有し、容器の口部に螺着される可撓性キャップの第１の押圧による変形により操作突起が押されてオンとなって電気発光体が点灯し、可撓性キャップの第２の押圧による変形により操作突起が押されてオフとなって電気発光体が消灯する構成であることを特徴とする。
【００１２】
本願請求項７記載の動力装置は、上記第３の目的を達成するため、キャップを備えたペットボトル等の容器内に、容器の口部から挿入して取り付けられる動力装置であって、容器の口部から挿入できる大きさに形成されたケースと、電気回路部とからなり、電気回路部は、ケース内部に設けられた電源部と、ケースの一側に配置された自動復帰型スイッチ部と、ケースの他側に設けられた電気モータを有し、ケースには、容器の口部の上端に係止され、且つ口部に螺着されるキャップと口部の上端によって挟持される係止縁が形成され、前記自動復帰型スイッチ部は、係止縁から突出する操作突起を有し、容器の口部に螺着されるキャップの閉める方向の回転による移動により操作突起が押圧されて電気モータが回転し、キャップの開く方向の回転による移動により操作突起の押圧が解除されて電気モータが停止する構成であることを特徴とする。
【００１３】
本願請求項８記載の動力装置は、上記第３の目的を達成するため、可撓性キャップを備えたペットボトル等の容器内に、容器の口部から挿入して取り付けられる動力装置であって、容器の口部から挿入できる大きさに形成されたケースと、電気回路部とからなり、電気回路部は、ケース内部に設けられた電源部と、ケースの一側に配置された位置保持型スイッチ部と、ケースの他側に設けられた電気モータを有し、ケースには、容器の口部の上端に係止され、且つ口部に螺着される可撓性キャップと口部の上端によって挟持される係止縁が形成され、前記位置保持型スイッチ部は、係止縁から突出する操作突起を有し、容器の口部に螺着される可撓性キャップの第１の押圧による変形により操作突起が押されてオンとなって電気モータが回転し、可撓性キャップの第２の押圧による変形により操作突起が押されてオフとなって電気モータが停止する構成であることを特徴とする。
【発明の効果】
【００１４】
本願発明に係る駆動装置は、キャップを備えたペットボトル等の容器内に、容器の口部から挿入して取り付けられる駆動装置であって、容器の口部から挿入できる大きさに形成されたケースと、電気回路部とからなり、電気回路部は、駆動部と、電源部と、自動復帰型スイッチ部を有し、ケースには、容器の口部の上端に係止され、且つ口部に螺着されるキャップと口部の上端によって挟持される係止縁が形成され、前記自動復帰型スイッチ部は、係止縁から突出する操作突起を有し、容器の口部に螺着されるキャップの閉める方向の回転による移動により操作突起が押圧されて駆動部が駆動し、キャップの開く方向の回転による移動により操作突起の押圧が解除されて駆動部の駆動が停止する構成である。
【００１５】
本願発明に係る駆動装置は、ペットボトル等の容器を改良することなく、容器の口部から差し込むだけの作業で、容器の口部に誰でも簡単且つ確実に取り付けることができるという効果がある。さらに、本願発明に係る駆動装置は、容器の口部に螺着されるキャップと口部の上端によって係止縁が挟持されて取り付けられるので、容器の口部に確実に固定することができるという効果がある。また、本願発明に係る駆動装置は、容器の口部に螺着されるキャップを利用して自動復帰型スイッチ部の操作突起を操作することができ、容器内に設けた駆動部の駆動を制御することができるという効果がある。さらにまた、キャップを閉めると、容器が水密状態となって駆動部が駆動するので、水中や、雪、雨等の中でも駆動部を濡らすことなく動作させることができるという効果がある。
【００１６】
本願発明に係る駆動装置は、可撓性キャップを備えたペットボトル等の容器内に、容器の口部から挿入して取り付けられる駆動装置であって、容器の口部から挿入できる大きさに形成されたケースと、電気回路部とからなり、電気回路部は、駆動部と、電源部と、位置保持型スイッチ部を有し、ケースには、容器の口部の上端に係止され、且つ口部に螺着される可撓性キャップと口部の上端によって挟持される係止縁が形成され、前記位置保持型スイッチ部は、係止縁から突出する操作突起を有し、容器の口部に螺着される可撓性キャップの第１の押圧による変形により操作突起が押されてオンとなって駆動部が駆動し、可撓性キャップの第２の押圧による変形により操作突起が押されてオフとなって駆動部の駆動が停止する構成である。
【００１７】
本願発明に係る駆動装置は、ペットボトル等の容器を改良することなく、容器の口部から差し込むだけの作業で、容器の口部に誰でも簡単且つ確実に取り付けることができるという効果がある。さらに、本願発明に係る駆動装置は、容器の口部に螺着される可撓性キャップと口部の上端によって係止縁が挟持されて取り付けられるので、容器の口部に確実に固定することができるという効果がある。また、本願発明に係る駆動装置は、容器の口部に螺着される可撓性キャップを利用して位置保持型スイッチ部の操作突起を操作することができ、容器内に設けた駆動部の駆動を制御することができるという効果がある。さらにまた、可撓性キャップを閉めると、容器が水密状態となって駆動部が駆動するので、水中や、雪、雨等の中でも駆動部を濡らすことなく動作させることができるという効果がある。
【００１８】
本願発明に係る駆動装置は、上記効果に加えて、前記駆動部が電気発光体であると、容器をライト、ランタン等の電灯として利用できるようになり、しかも、水中や、雨、雪の中でも使用することができるという効果がある。
【００１９】
本願発明に係る駆動装置は、上記効果に加えて、前記駆動部が電気モータであると、容器を運動体として利用でき、また、容器を加工して電気モータの動力を外部に伝達できるようにすれば、走行玩具、飛行機玩具、船玩具に利用できるという効果がある。
【００２０】
本願発明に係る発光装置は、キャップを備えたペットボトル等の容器内に、容器の口部から挿入して取り付けられる発光装置であって、容器の口部から挿入できる大きさに形成されたケースと、電気回路部とからなり、電気回路部は、ケース内部に設けられた電源部と、ケースの一側に配置された自動復帰型スイッチ部と、ケースの他側に設けられた電気発光体を有し、ケースには、容器の口部の上端に係止され、且つ口部に螺着されるキャップと口部の上端によって挟持される係止縁が形成され、前記自動復帰型スイッチ部は、係止縁から突出する操作突起を有し、容器の口部に螺着されるキャップの閉める方向の回転による移動により操作突起が押圧されて電気発光体が点灯し、キャップの開く方向の回転による移動により操作突起の押圧が解除されて電気発光体が消灯する構成である。
【００２１】
本願発明に係る発光装置は、ペットボトル等の容器を改良することなく、容器の口部から差し込むだけの作業で、容器の口部に誰でも簡単且つ確実に取り付けることができるという効果がある。さらに、本願発明に係る発光装置は、容器の口部に螺着されるキャップと口部の上端によって係止縁が挟持されて取り付けられるので、容器の口部に確実に固定することができるという効果がある。また、本願発明に係る発光装置は、容器の口部に螺着されるキャップを利用して自動復帰型スイッチ部の操作突起を操作することができ、容器内に設けた電気発光体の発光を制御して、容器をライト、ランタン等の電灯として利用できるという効果がある。さらにまた、キャップを閉めると、容器が水密状態となって電気発光体が発光するので、水中や、雪、雨等の中でも電気発光体を濡らすことなく動作させることができるという効果がある。
【００２２】
本願発明に係る発光装置は、可撓性キャップを備えたペットボトル等の容器内に、容器の口部から挿入して取り付けられる発光装置であって、容器の口部から挿入できる大きさに形成されたケースと、電気回路部とからなり、電気回路部は、ケース内部に設けられた電源部と、ケースの一側に配置された位置保持型スイッチ部と、ケースの他側に設けられた電気発光体を有し、ケースには、容器の口部の上端に係止され、且つ口部に螺着される可撓性キャップと口部の上端によって挟持される係止縁が形成され、前記位置保持型スイッチ部は、係止縁から突出する操作突起を有し、容器の口部に螺着される可撓性キャップの第１の押圧による変形により操作突起が押されてオンとなって電気発光体が点灯し、可撓性キャップの第２の押圧による変形により操作突起が押されてオフとなって電気発光体が消灯する構成である。
【００２３】
本願発明に係る発光装置は、ペットボトル等の容器を改良することなく、容器の口部から差し込むだけの作業で、容器の口部に誰でも簡単且つ確実に取り付けることができるという効果がある。さらに、本願発明に係る発光装置は、容器の口部に螺着される可撓性キャップと口部の上端によって係止縁が挟持されて取り付けられるので、容器の口部に確実に固定することができるという効果がある。また、本願発明に係る発光装置は、容器の口部に螺着される可撓性キャップを利用して位置保持型スイッチ部の操作突起を操作することができ、容器内に設けた電気発光体の発光を制御して、容器をライト、ランタン等の電灯として利用できるという効果がある。さらにまた、可撓性キャップを閉めると、容器が水密状態となって電気発光体が発光するので、水中や、雪、雨等の中でも電気発光体を濡らすことなく動作させることができるという効果がある。
【００２４】
本願発明に係る動力装置は、キャップを備えたペットボトル等の容器内に、容器の口部から挿入して取り付けられる動力装置であって、容器の口部から挿入できる大きさに形成されたケースと、電気回路部とからなり、電気回路部は、ケース内部に設けられた電源部と、ケースの一側に配置された自動復帰型スイッチ部と、ケースの他側に設けられた電気モータを有し、ケースには、容器の口部の上端に係止され、且つ口部に螺着されるキャップと口部の上端によって挟持される係止縁が形成され、前記自動復帰型スイッチ部は、係止縁から突出する操作突起を有し、容器の口部に螺着されるキャップの閉める方向の回転による移動により操作突起が押圧されて電気モータが回転し、キャップの開く方向の回転による移動により操作突起の押圧が解除されて電気モータが停止する構成である。
【００２５】
本願発明に係る動力装置は、ペットボトル等の容器を改良することなく、容器の口部から差し込むだけの作業で、容器の口部に誰でも簡単且つ確実に取り付けることができるという効果がある。さらに、本願発明に係る動力装置は、容器の口部に螺着されるキャップと口部の上端によって係止縁が挟持されて取り付けられるので、容器の口部に確実に固定することができるという効果がある。また、本願発明に係る動力装置は、容器の口部に螺着されるキャップを利用して自動復帰型スイッチ部の操作突起を操作することができ、容器内に設けた電気モータの回転を制御して、容器を運動体として利用でき、さらに、容器を加工して電気モータの動力を外部に伝達できるようにすれば、走行玩具、飛行機玩具、船玩具に利用できるという効果がある。さらにまた、キャップを閉めると、容器が水密状態となって電気モータが回転するので、水中や、雪、雨等の中でも電気モータを濡らすことなく動作させることができるという効果がある。
【００２６】
本願発明に係る動力装置は、可撓性キャップを備えたペットボトル等の容器内に、容器の口部から挿入して取り付けられる動力装置であって、容器の口部から挿入できる大きさに形成されたケースと、電気回路部とからなり、電気回路部は、ケース内部に設けられた電源部と、ケースの一側に配置された位置保持型スイッチ部と、ケースの他側に設けられた電気モータを有し、ケースには、容器の口部の上端に係止され、且つ口部に螺着される可撓性キャップと口部の上端によって挟持される係止縁が形成され、前記位置保持型スイッチ部は、係止縁から突出する操作突起を有し、容器の口部に螺着される可撓性キャップの第１の押圧による変形により操作突起が押されてオンとなって電気モータが回転し、可撓性キャップの第２の押圧による変形により操作突起が押されてオフとなって電気モータが停止する構成であることを特徴とする。
【００２７】
本願発明に係る動力装置は、ペットボトル等の容器を改良することなく、容器の口部から差し込むだけの作業で、容器の口部に誰でも簡単且つ確実に取り付けることができるという効果がある。さらに、本願発明に係る動力装置は、容器の口部に螺着される可撓性キャップと口部の上端によって係止縁が挟持されて取り付けられるので、容器の口部に確実に固定することができるという効果がある。また、本願発明に係る動力装置は、容器の口部に螺着される可撓性キャップを利用して位置保持型スイッチ部の操作突起を操作することができ、容器内に設けた電気モータの回転を制御して、容器を運動体として利用でき、さらに、容器を加工して電気モータの動力を外部に伝達できるようにすれば、走行玩具、飛行機玩具、船玩具に利用できるという効果がある。さらにまた、可撓性キャップを閉めると、容器が水密状態となって電気モータが回転するので、水中や、雪、雨等の中でも電気モータを濡らすことなく動作させることができるという効果がある。
【図面の簡単な説明】
【００２８】
【図１】本願発明に係る駆動装置（発光装置）を容器に組み込んだ一実施例を示す正面断面図である。
【図２】図１の駆動装置の側面断面図である。
【図３】図１の駆動装置のキャップの動きを説明する説明図であって、（ａ）が上面図、（ｂ）がキャップを緩めた状態の側面断面図、（ｃ）がキャップを閉めた状態の側面断面図である。
【図４】容器の説明図である。
【図５】図１の駆動装置（発光装置）の説明図であって、（ａ）が正面図、（ｂ）が側面図、（ｃ）が背面図である。
【図６】本願発明に係る駆動装置（動力装置）を容器に組み込んだ一実施例を示す正面断面図である。
【図７】本願発明に係る発光装置の他の実施の形態を示す説明図であって、（ａ）が左側面図、（ｂ）が正面図、（ｃ）が右側面図である。
【図８】図７の発光装置を容器に組み込んだ他の実施例を示す正面断面図である。
【図９】本願発明に係る駆動装置（発光装置）を容器に組み込んだ他の実施例を示す正面断面図である。
【発明を実施するための形態】
【００２９】
駆動装置（発光装置，動力装置）１，４１，６１は、図１，６，８に示すように、キャップ３８を備えたペットボトル等の容器３１内に、容器３１の口部３３から挿入して取り付けられるものである。駆動装置１，４１，６１は、容器３１の口部３３から挿入できる大きさに形成されたケース２，４２，６２と、電気回路部３０，５０とからなる。電気回路部３０，５０は、駆動部１８，１９，４７，６４と、電源部１５と、自動復帰型スイッチ部２２，６５を有する。ケース２，４２，６２には、容器３１の口部３３の上端３４に係止され、且つ口部３３に螺着されるキャップ３８と口部３３の上端３４によって挟持される係止縁１０ａ，６３ａが形成されている。前記自動復帰型スイッチ部２２，６５は、係止縁１０ａ，６３ａから突出する操作突起２３，６６を有する。駆動装置１，４１，６１は、容器３１の口部３３に螺着されるキャップ３８の閉める方向の回転による移動により操作突起２３，６６が押圧されて駆動部１８，１９，４７，６４が駆動し、キャップ３８の開く方向の回転による移動により操作突起２３，６６の押圧が解除されて駆動部１８，１９，４７，６４の駆動が停止する構成である。
【００３０】
駆動装置１，４１，６１は、ペットボトル等の容器３１を改良することなく、容器３１の口部３３から差し込むだけの作業で、容器３１の口部３３に誰でも簡単且つ確実に取り付けることができる。さらに、駆動装置１，４１，６１は、容器３１の口部３３に螺着されるキャップ３８と口部３３の上端３４によって係止縁１０ａ，６３ａが挟持されて取り付けられるので、容器３１の口部３３に確実に固定することができる。また、駆動装置１，４１，６１は、容器３１の口部３３に螺着されるキャップ３８を利用して前記自動復帰型スイッチ部２２，６５の操作突起２３，６６を操作することができ、容器３１内に設けた駆動部１８，１９，４７，６４の駆動を制御することができる。さらにまた、キャップ３８を閉めると、容器３１が水密状態となって駆動部１８，１９，４７，６４が駆動するので、水中や、雪、雨等の中でも駆動部１８，１９，４７，６４を濡らすことなく動作させることができる。
【００３１】
駆動装置１，４１は、図１，６，９に示すように、可撓性キャップ３８Ｂ，３８Ｃを備えたペットボトル等の容器３１内に、容器３１の口部３３から挿入して取り付けられるものである。駆動装置１，４１は、容器３１の口部３３から挿入できる大きさに形成されたケース２，４２と、電気回路部３０，５０とからなる。電気回路部３０，５０は、駆動部１８，１９，４７と、電源部１５と、位置保持型スイッチ部２２Ａを有する。ケース２，４２には、容器３１の口部３３の上端３４に係止され、且つ口部３３に螺着される可撓性キャップ３８Ｂ，３８Ｃと口部３３の上端３４によって挟持される係止縁１０ａが形成されている。前記位置保持型スイッチ部２２Ａは、係止縁１０ａから突出する操作突起２３を有する。駆動装置１，４１は、容器３１の口部３３に螺着される可撓性キャップ３８Ｂ，３８Ｃの第１の押圧による変形により操作突起２３が押されてオンとなって駆動部１８，１９，４７が駆動し、可撓性キャップ３８Ｂ，３８Ｃの第２の押圧による変形により操作突起２３が押されてオフとなって駆動部１８，１９，４７の駆動が停止する構成である。
【００３２】
駆動装置１，４１は、ペットボトル等の容器３１を改良することなく、容器３１の口部３３から差し込むだけの作業で、容器３１の口部３３に誰でも簡単且つ確実に取り付けることができる。さらに、駆動装置１，４１は、容器３１の口部３３に螺着される可撓性キャップ３８Ｂ，３８Ｃと口部３３の上端３４によって係止縁１０ａが挟持されて取り付けられるので、容器３１の口部３３に確実に固定することができる。また、駆動装置１，４１は、容器３１の口部３３に螺着される可撓性キャップ３８Ｂ，３８Ｃを利用して位置保持型スイッチ部２２Ａの操作突起２３を操作することができ、容器３１内に設けた駆動部１８，１９，４７の駆動を制御することができる。さらにまた、可撓性キャップ３８Ｂ，３８Ｃを閉めると、容器３１が水密状態となって駆動部１８，１９，４７が駆動するので、水中や、雪、雨等の中でも駆動部１８，１９，４７を濡らすことなく動作させることができる。
【００３３】
駆動装置１，６１は、駆動部１８，１９，６４が電気発光体であると、容器３１をライト、ランタン等の電灯として利用できるようになり、しかも、水中や、雨、雪の中でも使用することができる。駆動装置４１は、前記駆動部４７が電気モータであると、容器３１を運動体として利用できる。また、駆動装置４１は、容器３１を加工して電気モータ４７の動力を外部に伝達できるようにすれば、走行玩具、飛行機玩具、船玩具に利用できる。
【００３４】
発光装置１，６１は、図１，８に示すように、キャップ３８を備えたペットボトル等の容器３１内に、容器３１の口部３３から挿入して取り付けられるものである。発光装置１，６１は、容器３１の口部３３から挿入できる大きさに形成されたケース２，６２と、電気回路部３０とからなる。電気回路部３０は、ケース２，６２内部に設けられた電源部１５と、ケース２，６２の一側に配置された自動復帰型スイッチ部２２，６５と、ケース２，６２の他側に設けられた電気発光体１８，１９，６４を有する。ケース２，６２には、容器３１の口部３３の上端３４に係止され、且つ口部３３に螺着されるキャップ３８と口部３３の上端３４によって挟持される係止縁１０ａ，６３ａが形成されている。前記自動復帰型スイッチ部２２，６５は、係止縁１０ａ，６３ａから突出する操作突起２３，６６を有し、容器３１の口部３３に螺着されるキャップ３８の閉める方向の回転による移動により操作突起２３，６６が押圧されて電気発光体１８，１９，６４が点灯し、キャップ３８の開く方向の回転による移動により操作突起２３，６６の押圧が解除されて電気発光体１８，１９，６４が消灯する構成である。
【００３５】
発光装置１，６１は、ペットボトル等の容器３１を改良することなく、容器３１の口部３３から差し込むだけの作業で、容器３１の口部３３に誰でも簡単且つ確実に取り付けることができる。さらに、発光装置１，６１は、容器３１の口部３３に螺着されるキャップ３８と口部３３の上端３４によって係止縁１０ａ，６３ａが挟持されて取り付けられるので、容器３１の口部３３に確実に固定することができる。また、発光装置１，６１は、容器３１の口部３３に螺着されるキャップ３８を利用して自動復帰型スイッチ部２２，６５の操作突起２３，６６を操作することができ、容器３１内に設けた電気発光体１８，１９，６４の発光を制御して、容器３１をライト、ランタン等の電灯として利用できる。さらにまた、キャップ３８を閉めると、容器３１が水密状態となって電気発光体１８，１９，６４が発光するので、水中や、雪、雨等の中でも電気発光体１８，１９，６４を濡らすことなく、利用することができる。
【００３６】
発光装置１は、図１，９に示すように、可撓性キャップ３８Ｂ，３８Ｃを備えたペットボトル等の容器３１内に、容器３１の口部３３から挿入して取り付けられるものである。発光装置１は、容器３１の口部３３から挿入できる大きさに形成されたケース２と、電気回路部３０とからなる。電気回路部３０は、ケース２内部に設けられた電源部１５と、ケース２の一側に配置された位置保持型スイッチ部２２Ａと、ケース２の他側に設けられた電気発光体１８，１９を有する。ケース２には、容器３１の口部３３の上端３４に係止され、且つ口部３３に螺着される可撓性キャップ３８Ｂ，３８Ｃと口部３３の上端３４によって挟持される係止縁１０ａが形成されている。前記位置保持型スイッチ部２２Ａは、係止縁１０ａから突出する操作突起２３を有し、容器３１の口部３３に螺着される可撓性キャップ３８Ｂ，３８Ｃの第１の押圧による変形により操作突起２３が押されてオンとなって電気発光体１８，１９が点灯し、可撓性キャップ３８Ｂ，３８Ｃの第２の押圧による変形により操作突起２３が押されてオフとなって電気発光体１８，１９が消灯する構成である。
【００３７】
発光装置１は、ペットボトル等の容器３１を改良することなく、容器３１の口部３３から差し込むだけの作業で、容器３１の口部３３に誰でも簡単且つ確実に取り付けることができる。さらに、発光装置１は、容器３１の口部３３に螺着される可撓性キャップ３８Ｂ，３８Ｃと口部３３の上端３４によって係止縁１０ａが挟持されて取り付けられるので、容器３１の口部３３に確実に固定することができる。また、発光装置１は、容器３１の口部３３に螺着される可撓性キャップ３８Ｂ，３８Ｃを利用して位置保持型スイッチ部２２Ａの操作突起２３を操作することができ、容器３１内に設けた電気発光体１８，１９の発光を制御して、容器３１をライト、ランタン等の電灯として利用できる。さらにまた、可撓性キャップ３８Ｂ，３８Ｃを閉めると、容器３１が水密状態となって電気発光体１８，１９が発光するので、水中や、雪、雨等の中でも電気発光体１８，１９を濡らすことなく利用することができる。
【００３８】
動力装置４１は、図６に示すように、キャップ３８を備えたペットボトル等の容器３１内に、容器３１の口部３３から挿入して取り付けられるものである。動力装置４１は、容器３１の口部３３から挿入できる大きさに形成されたケース４２と、電気回路部５０とからなる。電気回路部５０は、ケース４２内部に設けられた電源部１５と、ケース４２の一側に配置された自動復帰型スイッチ部２２と、ケース４２の他側に設けられた電気モータ４７を有する。ケース４２には、容器３１の口部３３の上端３４に係止され、且つ口部３３に螺着されるキャップ３８と口部３３の上端３４によって挟持される係止縁１０ａが形成されている。前記自動復帰型スイッチ部２２は、係止縁１０ａから突出する操作突起２３を有し、容器３１の口部３３に螺着されるキャップ３８の閉める方向の回転による移動により操作突起２３が押圧されて電気モータ４７が回転し、キャップ３８の開く方向の回転による移動により操作突起２３の押圧が解除されて電気モータ４７が停止する構成である。
【００３９】
動力装置４１は、ペットボトル等の容器３１を改良することなく、容器３１の口部３３から差し込むだけの作業で、容器３１の口部３３に誰でも簡単且つ確実に取り付けることができる。さらに、動力装置４１は、容器３１の口部３３に螺着されるキャップ３８と口部３３の上端３４によって係止縁１０ａが挟持されて取り付けられるので、容器３１の口部３３に確実に固定することができる。また、動力装置４１は、容器３１の口部３３に螺着されるキャップ３８を利用して自動復帰型スイッチ部２２の操作突起２３を操作することができ、容器３１内に設けた電気モータ４７の回転を制御して、容器３１を運動体として利用できる。また、動力装置４１は、容器３１を加工して電気モータ４７の動力を外部に伝達できるようにすれば、走行玩具、飛行機玩具、船玩具に利用できる。さらにまた、動力装置４１は、キャップ３８を閉めると、容器３１が水密状態となって電気モータ４７が回転するので、水中や、雪、雨等の中でも電気モータ４７を濡らすことなく動作させることができる。
【００４０】
動力装置４１は、図６，９に示すように、可撓性キャップ３８Ｂ，３８Ｃを備えたペットボトル等の容器３１内に、容器３１の口部３３から挿入して取り付けられるものである。動力装置４１は、容器３１の口部３３から挿入できる大きさに形成されたケース４２と、電気回路部５０とからなる。電気回路部５０は、ケース４２内部に設けられた電源部１５と、ケース４２の一側に配置された位置保持型スイッチ部２２Ａと、ケース４２の他側に設けられた電気モータ４７を有する。ケース４２には、容器３１の口部３３の上端３４に係止され、且つ口部３３に螺着される可撓性キャップ３８Ｂ，３８Ｃと口部３３の上端３４によって挟持される係止縁１０ａが形成されている。前記位置保持型スイッチ部２２Ａは、係止縁１０ａから突出する操作突起２３を有し、容器３１の口部３３に螺着される可撓性キャップ３８Ｂ，３８Ｃの第１の押圧による変形により操作突起２３が押されてオンとなって電気モータ４７が回転し、可撓性キャップ３８Ｂ，３８Ｃの第２の押圧による変形により操作突起２３が押されてオフとなって電気モータ４７が停止する構成である。
【００４１】
動力装置４１は、ペットボトル等の容器３１を改良することなく、容器３１の口部３３から差し込むだけの作業で、容器３１の口部３３に誰でも簡単且つ確実に取り付けることができる。さらに、動力装置４１は、容器３１の口部３３に螺着される可撓性キャップ３８Ｂ，３８Ｃと口部３３の上端３４によって係止縁１０ａが挟持されて取り付けられるので、容器３１の口部３３に確実に固定することができる。また、動力装置４１は、容器３１の口部３３に螺着される可撓性キャップ３８Ｂ，３８Ｃを利用して位置保持型スイッチ部２２Ａの操作突起２３を操作することができ、容器３１内に設けた電気モータ４７の回転を制御して、容器３１を運動体として利用でき、さらに、容器３１を加工して電気モータ４７の動力を外部に伝達できるようにすれば、走行玩具、飛行機玩具、船玩具に利用できる。さらにまた、可撓性キャップ３８Ｂ，３８Ｃを閉めると、容器３１が水密状態となって電気モータ４７が回転するので、水中や、雪、雨等の中でも電気モータ４７を濡らすことなく動作させることができる。
【００４２】
さらに、図１乃至図５に基づいて、発光装置（駆動装置）を詳細に説明する。発光装置（駆動装置）１は、図１に示すように、ペットボトル等の容器３１の内部に取り付けられる。図４に示すように、容器３１は、大径の容器本体３２と、容器本体３２の上部に一体に形成された小径の口部３３と、口部３３の外周面に形成された雄ねじ３５と、雄ねじ３５に螺着される雌ねじ３７が内周面に形成されたキャップ３８とからなっている。キャップ３８は、合成樹脂、金属等の変形し難い素材で形成されている。
【００４３】
発光装置１は、図５に示すように、矩形長箱状のケース２を有する。ケース２は、底壁３と、左壁５と、右壁６と、下壁７と、仕切壁９によって形成されている。ケース２の上端、即ち、底壁３と左壁５と右壁６の上端には、円板状の係止板１０が固定されている。ケース２は、ペットボトル等の容器３１の口部３３の開口３３ａから挿入できる大きさに形成されている。図１に示すように、係止板１０は、周縁（係止縁）１０ａが容器３１の口部３３の上端３４に係止される。係止板１０は、口部３３の上端３４の外径より小さい外径で構成され、周縁（係止縁）１０ａが口部３３の上端３４の外周縁の内側となる。図３に示すように、係止板１０は、周縁（係止縁）１０ａが口部３３に螺着されるキャップ３８の上壁３８ａと口部３３の上端３４によって挟持される形状・大きさに形成されている。図１に示すように、ケース２の両側上部、即ち、左壁５と右壁６の上部には、容器３１の口部３３の内周面に接触してケース２を口部３３内で安定させるガイド板１１，１２が設けられている。ガイド板１１，１２は、上端が係止板１０に当接している。
【００４４】
図５に示すように、ケース２は、底壁３と左壁５と右壁６と下壁７と仕切壁９の下部によって囲まれる空間を電池１５を収納する電池収納室１３として構成している。また、ケース２は、仕切壁９の上部と底壁３と左壁５と右壁６と係止板１０によって囲まれる空間をスイッチ装置２１を収納するスイッチ装置収納室１４として構成している。ケース２の下端、即ち、下壁７には、支軸１６を介して固定板１７が取り付けられ、固定板１７には複数の主ＬＥＤ（電気発光体）１８が固定されている。なお、固定板１７は、容器３１の口部３３の内周径より小さく形成され、口部３３の開口３３ａからケース２と共にスムーズに収納される。さらに、ケース２の略中間位置、例えば底壁３の略中間位置には、副ＬＥＤ（電気発光体）１９が固定されている。
【００４５】
図５に示すように、スイッチ装置２１は、タクタイルスイッチ等の自動復帰型押圧スイッチ２２と切替スイッチ２５とからなる。自動復帰型押圧スイッチ２２は、押し釦２３を有し、底壁３に固定された上壁８に取り付けられる。自動復帰型押圧スイッチ２２は、係止板１０に形成された凹部１０ｂ内に位置し、押し釦２３のみが係止板１０から突出するように構成されている。切替スイッチ２５は、スライド摘み２６を有し、底壁３に固定され、スライド摘み２６が底壁３の外側に位置するように構成されている。
【００４６】
発光装置１は、電池収納室１３に収納された電池１５と、主ＬＥＤ（電気発光体）１８と、副ＬＥＤ（電気発光体）１９と、自動復帰型押圧スイッチ２２と、切替スイッチ２５とによって電気回路部３０を構成している。切替スイッチ２５のスライド摘み２６を一方（Ｘ方向）にスライドさせておき、自動復帰型押圧スイッチ２２の押し釦２３を押すと主ＬＥＤ（電気発光体）１８が点灯又は点滅する。切替スイッチ２５のスライド摘み２６を他方（Ｙ方向）にスライドさせておき、自動復帰型押圧スイッチ２２の押し釦２３を押すと副ＬＥＤ（電気発光体）１９が点灯又は点滅する。
【００４７】
上記発光装置１は、図１，２に示すように、ケース２をペットボトル等の容器３１の口部３３内に開口３３ａから装着すると、係止板１０の周縁（係止縁）１０ａが容器３１の口部３３の上端３４に係止されて取り付けられる。図３に示すように、発光装置１は、容器３１のキャップ３８を口部３３に螺着すると、キャップ３８の上壁３８ａと口部３３の上端３４で係止板１０の周縁（係止縁）１０ａが挟持され、口部３３内に固定される。このように、発光装置１を容器３１の口部３３に主ＬＥＤ（電気発光体）１８から挿入すると、係止板１０が容器３１の口部３３の上端３４に係止される。容器３１の口部３３にキャップ３８を螺着すると、係止板１０の周縁（係止縁）１０ａが口部３３の上端３４とキャップ３８の上壁３８ａによって挟持され、発光装置１は容器３１の口部３３に固定される。発光装置１は、ケース２の両側上部に設けられガイド板１１，１２が容器３１の口部３３の内周面に接触し、口部３３内で安定して保持される。
【００４８】
図３（ｃ）に示すように、キャップ３８を口部３３に閉めると、雌ねじ３７と雄ねじ３５の噛合により、キャップ３８が口部３３側に移動し、キャップ３８の上壁３８ａが係止板１０を挟持するのと同時に自動復帰型押圧スイッチ２２の押し釦２３を押圧する。切替スイッチ２５のスライド摘み２６を一方（Ｘ方向）にスライドさせておくと、主ＬＥＤ（電気発光体）１８が点灯又は点滅する。切替スイッチ２５のスライド摘み２６を他方（Ｙ方向）にスライドさせておくと、副ＬＥＤ（電気発光体）１９が点灯又は点滅する。図３（ｂ）に示すように、キャップ３８を口部３３から開けると、雌ねじ３７と雄ねじ３５の噛合により、キャップ３８が口部３３から離れ、キャップ３８の上壁３８ａが自動復帰型押圧スイッチ２２の押し釦２３から離間する。押し釦２３の押圧が解除されるので、主ＬＥＤ（電気発光体）１８又は副ＬＥＤ（電気発光体）１９が消灯する。
【００４９】
発光装置１は、主ＬＥＤ（電気発光体）１８が点灯すると懐中電灯として、副ＬＥＤ（電気発光体）１９が点灯するとランタンとして利用でき、キャップ３８が口部３３に閉め付けられた密封状態の容器３１内で点灯するので、水中、雨、雪の中でも使用することができる。このように、発光装置１は、容器３１を改良することなく、容器３１の口部３３に差し込むだけの作業で誰でもが簡単且つ確実に取り付けることができる。
【００５０】
次に、図６に基づいて、動力装置について詳細に説明する。動力装置４１は、ペットボトル等の容器３１の内部に取り付けられる。容器３１は、上述した通りである。動力装置４１は、矩形長箱状のケース４２を有する。ケース４２の一端には、円板状の係止板１０が固定されている。ケース４２は、ペットボトル等の容器３１の口部３３の開口３３ａから挿入できる大きさに形成されている。係止板１０は、上述した通りである。ケース４２の一端側両側部には、上述したガイド板１１，１２が設けられている。
【００５１】
ケース４２の中間には、電池１５を収納する電池収納室４３が形成されている。また、ケース４２の一端側には、スイッチ装置２１を収納するスイッチ装置収納室４４が形成されている。ケース４２の他端には、略Ｌ字状の載置枠４６を介して駆動モータ４７が取り付けられている。なお、載置枠４６及び駆動モータ４７は、容器３１の口部３３の内周径より小さく形成され、口部３３の開口３３ａからケース４２と共にスムーズに収納される。駆動モータ４７の駆動軸４８には、ゴムパイプ状の連結管４９を介してプロペラシャフト５１が連結されている。プロペラシャフト５１は、容器３１の底壁３９の略中心に形成された透孔３９ａに回動可能に取り付けられ、外側端部にプロペラ５２が取り付けられ、内側端部が連結管４９により駆動モータ４７の駆動軸４８に連結されている。
【００５２】
スイッチ装置２１は、上述した通りである。動力装置４１は、電池収納室４３に収納された電池１５と、駆動モータ４７と、自動復帰型押圧スイッチ２２と、切替スイッチ２５とによって電気回路部５０を構成している。切替スイッチ２５のスライド摘み２６を一方（Ｘ方向）にスライドさせておき、自動復帰型押圧スイッチ２２の押し釦２３を押すと駆動モータ４７が一方に回転する。切替スイッチ２５のスライド摘み２６を他方（Ｙ方向）にスライドさせておき、自動復帰型押圧スイッチ２２の押し釦２３を押すと駆動モータ４７が他方に回転する。
【００５３】
上記動力装置４１は、ケース４２をペットボトル等の容器３１の口部３３内に駆動モータ４７側から装着すると、係止板１０の周縁（係止縁）１０ａが容器３１の口部３３の上端３４に係止されて取り付けられる。動力装置４１は、容器３１のキャップ３８を口部３３に螺着すると、キャップ３８の上壁３８ａと口部３３の上端３４で係止板１０の周縁（係止縁）１０ａが挟持され、口部３３内に固定される。
【００５４】
キャップ３８を口部３３に閉めると、上述したように、キャップ３８が口部３３側に移動し、キャップ３８の上壁３８ａが係止板１０を挟持するのと同時に自動復帰型押圧スイッチ２２の押し釦２３を押圧する。切替スイッチ２５のスライド摘み２６を一方（Ｘ方向）にスライドさせておくと、駆動モータ４７が一方に回転し、駆動軸４８、連結管４９及びプロペラシャフト５１を介してプロペラ５２が一方に回転する。切替スイッチ２５のスライド摘み２６を他方（Ｙ方向）にスライドさせておくと、駆動モータ４７が他方に回転し、駆動軸４８、連結管４９及びプロペラシャフト５１を介してプロペラ５２が他方に回転する。キャップ３８を口部３３から開けると、キャップ３８が口部３３から離れ、キャップ３８の上壁３８ａが自動復帰型押圧スイッチ２２の押し釦２３から離間する。押し釦２３の押圧が解除されるので、駆動モータ４７が停止する。
【００５５】
動力装置４１は、キャップ３８が口部３３に閉め付けられた密封状態の容器３１内で駆動モータ４７が作動してプロペラ５２を回転させるので、容器３１を水上に浮かべて船玩具として使用することができる。また、容器本体３２に翼を取り付け、容器３１を紐で吊し、プロペラ５２を回転させることにより、旋回する飛行機玩具として使用することができる。さらに、容器本体３２に車輪を取り付け、駆動モータ４７により車輪を駆動させて走行玩具として使用することもできる。なお、容器３１を加工せず、駆動モータ４７の駆動軸４８に偏芯錘を取り付けることにより、容器３１をマッサージ器として使用することもできる。
【００５６】
さらに、図７，８に基づいて、発光装置を詳細に説明する。発光装置６１は、筒状の懐中電灯として機能する。発光装置６１は、筒状本体６２を有する。筒状本体６２の一端には、円板状の係止板６３が固定され、係止板６３に自動復帰型押圧スイッチ６５が設けられている。自動復帰型押圧スイッチ６５は、押し釦６６を有し、押し釦６６のみが係止板６３から突出する。筒状本体６２は、内部に電池を収納し、他端に複数のＬＥＤ（電気発光体）６４が設けられている。発光装置６１は、筒状本体６２内部に収納した電池と、複数のＬＥＤ（電気発光体）６４と、自動復帰型押圧スイッチ６５とによって電気回路部を構成している。発光装置６１は、筒状本体６２を把持し、押し釦６６を押圧するとＬＥＤ（電気発光体）６４が点灯し、押し釦６６を解放するとＬＥＤ（電気発光体）６４が消灯して、懐中電灯として使用することができる。
【００５７】
上記発光装置６１は、筒状本体６２をペットボトル等の容器３１内に口部３３の開口３３ａから挿入して装着すると、係止板６３の係止縁（周縁）６３ａが容器３１の口部３３の上端３４に係止されて取り付けられる。発光装置６１は、容器３１のキャップ３８を口部３３に螺着すると、キャップ３８の上壁３８ａと口部３３の上端３４で係止板６３の係止縁（周縁）６３ａが挟持され、口部３３内に固定される。
【００５８】
キャップ３８を口部３３に閉めると、キャップ３８が口部３３側に移動し、キャップ３８の上壁３８ａが係止板６３を挟持するのと同時に押し釦６６を押圧し、複数のＬＥＤ（電気発光体）６４が点灯する。キャップ３８を口部３３から開けると、キャップ３８が口部３３から離れ、キャップ３８の上壁３８ａが押し釦６６から離間する。押し釦６６の押圧が解除されるので、ＬＥＤ（電気発光体）６４が消灯する。
【００５９】
発光装置６１は、キャップ３８が口部３３に閉め付けられた密封状態の容器３１内で点灯するので、水中、雨、雪の中でも使用することができる。発光装置６１は、容器３１を改良することなく、容器３１の口部３３に差し込むだけの作業で誰でもが簡単且つ確実に取り付けることができる。
【００６０】
上記したキャップは、合成樹脂、金属等の変形し難い素材で形成したが、軟質合成樹脂、合成ゴム等の変形し易い素材で形成したキャップ３８Ｂでも良い。また、上記した押圧スイッチは、自動復帰型スイッチで説明したが、位置保持型押圧スイッチ２２Ａであっても良い。上記発光装置１は、図１，２に示すように、ケース２をペットボトル等の容器３１の口部３３内に開口３３ａから装着すると、係止板１０の周縁（係止縁）１０ａが容器３１の口部３３の上端３４に係止されて取り付けられる。図３に示すように、発光装置１は、容器３１のキャップ３８Ｂを口部３３に螺着すると、キャップ３８Ｂの上壁３８ａと口部３３の上端３４で係止板１０の周縁（係止縁）１０ａが挟持され、口部３３内に固定される。キャップ３８Ｂは、軟質素材で形成されているので、上壁３８ａが位置保持型押圧スイッチ２２Ａの押し釦２３を押圧することはない。
【００６１】
図３（ｃ）に示すように、キャップ３８Ｂを押圧するとキャップ３８Ｂが変形し、キャップ３８Ｂの上壁３８ａが位置保持型押圧スイッチ２２Ａの押し釦２３を押圧し、主ＬＥＤ（電気発光体）１８又は副ＬＥＤ（電気発光体）１９が点灯又は点滅する。再度、キャップ３８Ｂを押圧するとキャップ３８Ｂが変形し、キャップ３８Ｂの上壁３８ａが位置保持型押圧スイッチ２２Ａの押し釦２３を押圧し、主ＬＥＤ（電気発光体）１８又は副ＬＥＤ（電気発光体）１９が消灯する。発光装置１は、キャップ３８Ｂが口部３３に閉め付けられた密封状態の容器３１内で点灯するので、水中、雨、雪の中でも使用することができる。
【００６２】
同様に、動力装置４１は、図６に示すように、ケース４２をペットボトル等の容器３１の口部３３内に駆動モータ４７側から装着すると、係止板１０の周縁（係止縁）１０ａが容器３１の口部３３の上端３４に係止されて取り付けられる。動力装置４１は、容器３１のキャップ３８Ｂを口部３３に螺着すると、キャップ３８Ｂの上壁３８ａと口部３３の上端３４で係止板１０の周縁（係止縁）１０ａが挟持され、口部３３内に固定される。
【００６３】
キャップ３８Ｂを押圧するとキャップ３８Ｂが変形し、キャップ３８Ｂの上壁３８ａが位置保持型押圧スイッチ２２Ａの押し釦２３を押圧し、駆動モータ４７が回転する。再度、キャップ３８Ｂを押圧するとキャップ３８Ｂが変形し、キャップ３８Ｂの上壁３８ａが位置保持型押圧スイッチ２２Ａの押し釦２３を押圧し、駆動モータ４７が停止する。動力装置４１は、キャップ３８Ｂが口部３３に閉め付けられた密封状態の容器３１内で駆動モータ４７が作動するので、容器３１を水上に浮かべて船玩具として使用することができる。
【００６４】
上記実施の形態では、キャップ３８，３８Ｂと発光装置１は、分離した状態で説明したが、図９に示すように、キャップ３８Ｃと発光装置１を接着剤等により固着して一体化しても構わない。発光装置１は、係止板１０がキャップ３８Ｃの上壁３８ａ内面に面接触して接着剤等により安定して固定される。キャップ３８Ｃは、軟質合成樹脂、合成ゴム等の変形し易い素材で形成しておくことが望ましく、さらに、上壁３８ａが位置保持型押圧スイッチ２２Ａの押し釦２３に接触しないように、上壁３８ａに上方に突出する凸部３８ｄを形成しておくことが望ましい。上記発光装置１は、可撓性キャップ３８Ｃを容器３１の口部３３に螺着すると、可撓性キャップ３８Ｃの上壁３８ａと口部３３の上端３４で係止板１０の周縁（係止縁）１０ａが挟持され、口部３３内に固定される。
【００６５】
可撓性キャップ３８Ｃの凸部３８ｄを押圧すると可撓性キャップ３８Ｃが変形し、可撓性キャップ３８Ｃの上壁３８ａが位置保持型押圧スイッチ２２Ａの押し釦２３を押圧し、主ＬＥＤ（電気発光体）１８又は副ＬＥＤ（電気発光体）１９が点灯又は点滅する。再度、可撓性キャップ３８Ｃの凸部３８ｄを押圧すると可撓性キャップ３８Ｃが変形し、可撓性キャップ３８Ｃの上壁３８ａが位置保持型押圧スイッチ２２Ａの押し釦２３を押圧し、主ＬＥＤ（電気発光体）１８又は副ＬＥＤ（電気発光体）１９が消灯する。発光装置１は、可撓性キャップ３８Ｃが口部３３に閉め付けられた密封状態の容器３１内で点灯するので、水中、雨、雪の中でも使用することができる。
【産業上の利用可能性】
【００６６】
本願発明は、使用済みペットボトル等の容器を照明器具、動作玩具として利用可能である。
【符号の説明】
【００６７】
１  発光装置（駆動装置）
２  ケース
３  底壁
５  左壁
６  右壁
７  下壁
８  上壁
９  仕切壁
１０  係止板
１０ａ  係止縁（周縁）
１０ｂ  凹部
１１  ガイド板
１２  ガイド板
１３  電池収納室
１４  スイッチ装置収納室
１５  電池（電源部）
１６  支軸
１７  固定板
１８  主ＬＥＤ（電気発光体、駆動部）
１９  副ＬＥＤ（電気発光体、駆動部）
２１  スイッチ装置
２２  自動復帰型押圧スイッチ（スイッチ部）
２２Ａ  位置保持型押圧スイッチ（スイッチ部）
２３  押し釦（操作突起）
２５  切替スイッチ
２６  スライド摘み
３０  電気回路部
３１  容器
３２  容器本体
３３  口部
３３ａ  開口
３４  上端
３５  雄ねじ
３７  雌ねじ
３８  キャップ
３８ａ  上壁
３８Ｂ  可撓性キャップ
３８Ｃ  可撓性キャップ
３８ｄ  凸部
３９  底壁
３９ａ  透孔
４１  動力装置（駆動装置）
４２  ケース
４３  電池収納室
４４  スイッチ装置収納室
４６  載置枠
４７  駆動モータ（電気モータ、駆動部）
４８  駆動軸
４９  連結管
５０  電気回路部
５１  プロペラシャフト
５２  プロペラ
６１  発光装置（駆動装置）
６２  筒状本体（ケース）
６３  係止板
６３ａ  係止縁（周縁）
６４  ＬＥＤ（電気発光体、駆動部）
６５  自動復帰型押圧スイッチ
６６  押し釦（操作突起）
【図１】
0006009425.tif 000002
【図２】
0006009425.tif 000003
【図３】
0006009425.tif 000004
【図４】
0006009425.tif 000005
【図５】
0006009425.tif 000006
【図６】
0006009425.tif 000007
【図７】
0006009425.tif 000008
【図８】
0006009425.tif 000009
【図９】
0006009425.tif 000010